Podtech/llm-jp-corpus-v4-ja_patent huggingface dataset:
(57)【要約】      （修正有）【課題】最大限手軽な掃除用具としての、安価で強力な接着力のあるガムテープを提供する。【解決手段】ガムテープを手のひらサイズにすることで、すばやく広範囲の作業ができ、また、使用後は紙をはがすだけで面倒な器具を必要としないようにした。【選択図】図１
0003112442.tif 000002
【実用新案登録請求の範囲】
【請求項１】
寝具、衣類に付着したペットの毛やほこりなどを、付属器具なしで一気に取り去る、てのひらサイズの四角形ガムテープ。
【考案の詳細な説明】
【考案の詳細な説明】
【考案が解決しようとする課題】
【０００１】寝具などに付着したペットの毛などを取るのに、安価で強い接着力のあるガムテープを利用していたが、５ｃｍ幅のテープ状なので幅が狭く、また、テープを切るための器具を装着するのが実に面倒であった。
【課題を解決するための手段】
【０００２】ガムテープを縦１５ｃｍ、横１０ｃｍの大きさにし、上部台紙中央に手の甲を入れるための幅５ｃｍのバンドをつけた（図１）。また、使用後のガムテープをつまんではがせるように、左下三角形の部分は接着剤をつけない紙の状態にした（図２）。
【考案の効果】
【０００３】手の甲をバンドに通し、寝具や衣類の上をペタペタ押さえると、一度に広い範囲でペットの毛やほこりを取ることができる。また、次回使用時にガムテープの左下角をつまんでバリッはがすだけで新しい接着面が出てくる。面倒な器具を装着する必要がない。
【図面の簡単な説明】
【図１】考案したペタペタガムテープの立面図である。
【図２】考案したペタペタガムテープの裏面平面図である。
【符号の説明】
１．手を入れるためのバンド
２．ガムテープ
３．接着しない部分
【図１】
0003112442.tif 000003
【図２】
0003112442.tif 000004
(57)【要約】      （修正有）【課題】買い物篭本体に、買い物篭括り付け広告物配布用紐付き物挟み器具を括り付け、通常の商品案内や臨時特売情報の伝達の他、宣伝用小物を物挟み器具に挟む事で配布が可能な、買い物篭括り付け広告物配布用紐付き物挟み器具を提供する。【解決手段】４個所有る買い物篭の篭縁２と、買い物篭の側面の空間部分３を使い、買い物篭括り付け広告物配布用紐付き物挟み器具本体１を、好みの数だけ括り付け、物を挟む器具の部分１ｅ、１ｆ、に１ｇ小売店の商品案内や、臨時特売情報その他宣伝用小物を挟み付け、小売店に買い物に来た客に自由に外して見てもらう。また、板状の物１ｂが取り付けてあり、一例として自由にお取り下さい等と板に表記１ｃして有り、仕組が解かり易くしてある。その他にも各種企業の広告や公共私的機関や地域に関連した情報を伝達したり配布する事も、物挟み器具１ｅ、１ｆ、に挟み付けるだけで可能になる。【選択図】図１
0003112451.tif 000002
【実用新案登録請求の範囲】
【請求項１】
買い物篭括り付け広告物配布用紐付き物挟み器具の構造は、買い物篭の縁に括り付ける為の、輪の形をした紐に一本の紐が取り付けてあり、その紐に一例として自由にお取り下さい等の、文字を表記する為の長方形の板を取付け、その板状の物に更に紐が付いていて、紐の先端部に広告物を挟む器具を取り付けた構造の器具で、買い物篭本体の４箇所有る篭の縁に好みの数だけ、紐付き物挟み器具を外側に垂れ下がる様に篭に括りつけて、広告散らしや宣伝用の小物等を物挟み器具に挟み付けて、小売店に買い物に来た客に自由に外して取って見てもらい、商品案内や小売店の通常販売や臨時特売情報伝達に役立ち、その他、企業や公的私的機関や地域に密着した情報等を、伝達や配布する事が可能で人件費等の節約や、広告の内容しだいで企業等から、小売店側に広告料が支払われる可能性も有る事を特徴とする、買い物篭括り付け広告物配布用紐付き物挟み器具。
【考案の詳細な説明】
【技術分野】
【０００１】  本考案器具は、買い物篭本体の篭の縁に括り付ける為の、輪の形をした紐に一本の紐が取り付けてあり、その紐に一例として自由にお取り下さい等の、文字を表記する為の長方形の板を取り付け、その板状の物に更に紐がついていて、紐の先端部に広告物を挟む器具を取り付けた構造の器具で、買い物篭に括り付け広告物を小売店に、来店した客に配布する為に、考案した器具に関するものである。
【背景技術】
【０００２】  小売店が特売広告や商品案内等に、通常は新聞折り込み散らし等を活用しているが、客店に買い物に行く場合自宅から広告散らしを持参することは、わずらわしく面倒で有り、自宅で広告散らしを見ても特売情報を、記憶するだけでは目的の商品を見つけにくく買い忘れやすい。また小売店側も通常の新聞折込散らしに間に合わない、臨時の特売情報の伝達や企業の宣伝用小物等の配布は、新聞折り込み散らしでは不可能で、小売店で手渡し配布するか広告をはりだすか、戸別配布等の手段で人件費がかさみ効率も良くない事が課題。
【考案の開示】
【考案が解決しようとする課題】
【０００３】  小売店が臨時の特売散らしや宣伝用の小物を配布する為に、人件費が多くかかるし効率も良くない。人件費節約や宣伝効果の効率を上げる為に、来店した客に確実に散らし等で情報が伝達出来て、且つ宣伝用小物の配布も出来る解決策が、本考案器具である買い物篭括り付け広告物配布用紐付き物挟み器具を使い、前述の欠点を解決しようとする物である。
【課題を解決するための手段】
【０００４】  本考案は、買い物篭本体の篭の縁に括り付ける為の輪の形をした紐に、一本の紐が取り付けてあり、その紐に一例として自由にお取り下さい等の文字を表記する為の、長方形の板を取り付け、その板状の物に更に紐が付いていて紐の先端部に、広告物を挟む器具を取り付けた構造で、買い物篭の４箇所有る篭の縁に、小売店の好みの個所に好みの数だけ取り付け、広告散らしや企業等の宣伝用小物を挟み付け、来店した客に自由に取って見てもらい、通常や臨時の販売に役立ち且つ人件費等の節約に貢献し、効率も良くなり問題点を解決している。
【考案の効果】
【０００５】  上述の様に、本考案の買い物篭括り付け広告物配布用紐付き物挟み器具は、新聞折り込み散らし等を見た客も見ないで来店した客も、通常や臨時の特売情報を小売店に備え付けの買い物篭に、括り付けた物挟み器具に挟まれた広告物を見るだけで、商品案内や臨時の特売情報等を知ることが出来て、小売店の販売向上や各種情報を伝達する事に役立ち、広告の内容しだいで、企業等から小売店側に広告料が支払われる可能性も考えられる。
【考案を実施するための最良の形態】
【０００６】  本考案の、買い物篭括り付け広告物配布用紐付き物挟み器具は、買い物篭本体に有る４個所有る篭の縁に、括り付ける方法で好みの数だけ取りつけ、広告物を挟み付ける器具に挟み付けた、小売店の通常や臨時広告又は各種機関の情報等の散らしや、宣伝用小物を配布出来る事を特徴としたもので、小売店に来店した客に確実に発信したい情報を、伝達出来る器具で客が自由に、物挟み器具から広告物を外してもらう為に、紐に文字を表記する為の長方形の板を取りつけ、一例として自由にお取り下さい等の文字を書き本考案の主旨を理解してもらう。
【実施例】
【０００７】  以下、添付図面に従って一実施例を説明する。１は抗菌機能がある合成樹脂繊維と合成樹脂を使用して作られた、買い物篭括り付け広告物配布用紐付き物挟み器具本体で、篭縁２と篭側面の空間部分３を使い括り付けて使用する。括り付けの手順は物挟み器具本体１の輪状の紐１ａの先端を、篭側面の空間３に内側から外側に通した後、器具本体１の残りの部分を篭縁２にまたがせ、輪状の紐１ａにくぐらせ篭の外側に垂れ下がるように括り付けて完了する。【０００８】  買い物篭括り付け広告物配布用紐付き物挟み器具の部分１ｆ、１ｅに、広告散らしや宣伝用小物１ｇも挟み付け可能で、小売店の販売や人件費等の節約に貢献し、他各種企業や公共私的機関や地域情報の伝達や配布も出来て、本来の目的の他に新たな機能を持った買い物篭で有り、挟み付ける広告の内容しだいで企業から、小売店側に広告収入の可能性も有る。
【図面の簡単な説明】
【０００９】
【図１】買い物篭本体に、買い物篭括り付け広告物配布用紐付き物挟み器具を括り付けた状態の正面図
【図２】買い物篭括り付け広告物配布用紐付き物挟み器具本体図
【符号の説明】
【００１０】  １    買い物篭括り付け広告物配布用紐付き物挟み器具本体
１ａ  輪の形状の紐部分
１ｂ  文字を表記する為の板の部分
１ｃ  文字を表記する為の板に文字が書いてある部分
１ｄ  紐の部分
１ｅ  物挟み器具の物を挟む部分
１ｆ  物挟み器具の握りの部分
１ｇ  物挟み器具に挟まれた広告物の想像図の部分
２    買い物篭の縁の部分
３    買い物篭側面の空間の部分
【図１】
0003112451.tif 000003
【図２】
0003112451.tif 000004
(57)【要約】      （修正有）【課題】患者に外科的手術を施さず、痛みを与えることもなく、容易に製作・装着できるインプラントの提供。【解決手段】弾性力の強いジェル状の義歯床３ａのパーシャルデンチャーに人工歯１ａをとりつけた顎骨に人工歯根を埋め込まないインプラントで、レジン歯による１ａと金属床（金銀パラジウム合金）による１ｂの２部からなり、インプラント部は、円筒状のクラスプ体部２ｂにはまり可動でき、さらに弾性力のある緩衝部によって義歯床に接着されている。【選択図】図１
0003112453.tif 000002
【実用新案登録請求の範囲】
【請求項１】
顎骨に人工歯根を埋め込まないインプラントであって、弾性力の強いジェル状の義歯床を持つパーシャルデンチャーに人工歯を取り付けたインプラント。
【考案の詳細な説明】
【技術分野】
【０００１】  本考案は、弾性力の強いジェル状の義歯床を持つパーシャルデンチャーに人工歯を取り付けた、顎骨に人工歯根を埋め込まない型のインプラントに関するものである。
［背景技術］【０００２】従来のインプラントは、外科的手術を施して人工歯根を顎骨に埋め込み、これに補綴的処置するものであった。
［考案の開示］
［考案が解決しようとする課題］【０００３】  従来型のインプラントでは、患者に外科的手術を施さねばならず、患者の顎骨の状態あるいは患者の体調によって失敗するリスクが生じる。パーシャルデンチャーと組みあわせた顎骨に人工歯根を埋め込まない型のインプラントによって、このリスクを回避し、容易に患者にインプラントを提供できる。
［課題を解決するための手段］【０００４】  本考案は、クラスプを持つ弾性力の強いジェル状の義歯床のパーシャルデンチャーに微少可動が可能な人工歯を取り付けた、顎骨に人工歯根を埋め込まないインプラントである。これにより、従来型のインプラントのように外科的手術を施す必要がなく容易に患者にインプラントが装着できることで問題点を解決している。
［考案の効果］【０００５】  上述のように、本考案は、患者に外科的手術を施すことがないので、従来型のインプラントと比較して失敗するリスクがなく、患者に痛みを与えることもなく、容易に製作・装着できるインプラントである。
［考案の実施するための最良の形態］【０００６】  このインプラントの製作は、歯科医が患者の患部に印象採得することによってつくられる顎模型上で歯科技工師の技工操作によって製作される。
製作されたインプラントは、金属のクラスプを持つ弾性力の強いジェル状の義歯床のパーシャルデンチャーに人工歯を取り付けたものである。
また、通常のパーシャルデンチャーのように義歯床がレジン床でないため、装着感がよく快適である。
［実施例］【０００７】  以下、添付図面によって実施例を説明する。
図１は、本考案の全体図である。
図２は、本考案のインプラント部である。【０００８】  本考案のインプラントは、金属（金銀パラジウム合金）のクラスプ把持部２ａとそれにつながる円筒状のクラスプ体部２ｂを持つ弾性力の強いジェル状の義歯床からなるパーシャルデンチャーにインプラント部（１ａ、１ｂ）を取り付けたものである。【０００９】  このインプラント部は、レジン歯による１ａと金属床（金銀パラジウム合金）による１ｂの２部からなる。
インプラント部は、円筒状のクラスプ体部２ｂにはまり可動でき、さらに弾性力のある緩衝部によって義歯床に接着されている。【００１０】  このインプラントは、義歯床が弾性力のつよいジェル状であるため、レジン床のような違和感もなく、咬合によって人工歯が緩衝部を介して微少可動する。
【図面の簡単な説明】
【００１１】［図１］  本考案の全体図である。
［図２］  本考案のインプラント部の図である。
【符号の説明】
【００１２】  １ａ  インプラントの人工歯部
１ｂ  インプラントの金属床部
２ａ  クラスプの把持部
２ｂ  クラスプの体部（円筒部）
３ａ  義歯床（ジェル状）
３ｂ  緩衝部
【図１】
0003112453.tif 000003
【図２】
0003112453.tif 000004
(57)【要約】【課題】本考案は、液体調味料の容器から必要量を直接かつ正確に出せるようにすることにより、使用量を明確にしまた計量スプーンなどを使用する手間を省こうとするものである。【解決手段】本考案は、液体を出す手押し式ポンプの動く軸３の部分に「小さじ・中さじ・大さじ」の目盛りや１ｃｃ単位等の目盛り４を設けてポンプを押す量により正確な量を直接出せるようにした液体調味料用のポンプにより、液体調味料の使用量を明確にするとともに計量スプーンなどを使用する手間も省くものである。【選択図】図１
0003112454.tif 000002
【実用新案登録請求の範囲】
【請求項１】
目盛りを設けて、必要量を直接かつ正確に出せるようにした液体調味料用のポンプ。
【考案の詳細な説明】
【技術分野】
【０００１】本考案は、目盛りを設けて必要量を直接かつ正確に出せるようにした液体調味料用のポンプである。
【背景技術】
【０００２】現在の調理油や醤油などの液体調味料の容器は、容器自体を傾けて内容物を出す構造のため必要量を正確に出すことができない。このため調理するときに正確な量が必要な場合は計量スプーンなどを使用して計量しなければならない。
【考案の開示】
【考案が解決しようとする課題】
【０００３】液体調味料を容器から直接出した場合は使用料が不正確になり、料理の味が毎回違ってしまうばかりか、油や醤油などは摂り過ぎによる健康への影響も気に掛かる。このため必要量を正確にするために計量スプーンなどを使用することになるが、効率が悪いばかりでなく使用した計量スプーンを洗う手間も増える。従って、計量スプーンなどを使用しなくても、液体調味料の容器から直接かつ正確に必要な量を出せるようにしようとするものである。
【課題を解決するための手段】
【０００４】各調味料に合った材質を用いて、シャンプーなどの容器に使用されている手押し式ポンプや、液体洗剤などのスプレーに使用されている手で握ることにより液体を出すポンプと同様の構造で、動く部分に「小さじ・中さじ・大さじ」の目盛りや、１ｃｃ単位の目盛り等を設けてポンプを押す量により正確な量を直接出せるようにする。
【考案の効果】
【０００５】目盛りを見ながらポンプを押すことにより必要量を正確に出すことができるので、料理の味が安定するばかりでなく、油や醤油などの使用料が明確になり健康管理にも役立つ。また計量スプーンなどを使用する必要が無くなるので料理の効率が良くなり、さらにそれらを洗う手間も無くなる。
【実施例】
【０００６】以下、添付図面に従って一実施例を説明する。これはポンプ頭部を下に押す形式のものに実施した場合の例である。ポンプ頭部１が押されたときに動くポンプの軸３に目盛り４を設けて、目盛りが見えなくなる位置の目盛りと内容物の出た量を同じになるようにすることで、押し込む量を加減することにより必要量を正確に出せるようにしたものである。
【図面の簡単な説明】
【０００７】
【図１】本考案の目盛り付き液体調味料ポンプの一実施例を示す正面図である。
【符号の説明】
【０００８】１  ポンプ頭部
２  ノズル
３  軸
４  目盛り
５  容器本体
【図１】
0003112454.tif 000003
(57)【要約】【課題】  従来の洗濯物干し用ハンガーには非使用時に占める空間の小さいものが少なく、洗濯物を干す操作の妨げになるものが多かった。ハンガー棒の折り畳みが可能なパラソル型ハンガーについても折り畳み操作が面倒か、あるいは同時に全てのハンガー棒が開くものがあった。【解決手段】  個々のハンガー棒をその末端部にある縦長の穴に支持体の軸を通してぶら下げ、使用時にはハンガー棒の先端を水平状態より少し高く持ち上げ、支持体中心部に向けて押し込んで、ハンガー棒末端の鍵を支持体の止め具に掛けてハンガー棒を水平状態に保持するように構成した。このようなハンガー棒を複数有するパラソル型およびベランダフェンスに掛けて使用する横一列型の洗濯物干し用ハンガーを考案した。【選択図】  図１
0003112457.tif 000002
【実用新案登録請求の範囲】
【請求項１】
ハンガー棒先端部の縦長の穴にハンガー本体のハンガー棒保持軸を通して吊るされた複数のハンガー棒を使用時に水平にし、ハンガー棒先端の鈎をハンガー本体の止め具に掛けて固定する洗濯物干し用ハンガー
【請求項２】
ベランダフェンスに掛けることのできるハンガー本体のハンガー棒保持軸に複数のハンガー棒を横一列に吊し、使用時にハンガー棒を水平状態に固定する洗濯物干し用ハンガー
【考案の詳細な説明】
【技術分野】
【０００１】  本考案は、ハンガー本体に吊るされた複数のハンガー棒を使用時に水平に固定するパラソル型あるいはベランダフェンスにハンガー本体を掛ける横一列型の洗濯物干し用ハンガーに関するものである。
【背景技術】
【０００２】  ハンガー棒を垂直方向より水平方向に変えて使用する洗濯物干し用ハンガーとしては複数のハンガー棒をハンガー本体の下部に留めたパラソル型ハンガーが使用されていた。また、一列に洗濯物を干す場合は、主にスタンドで支えられた物干竿が使用されていた。
【考案の開示】
【考案が解決しようとする課題】
【０００３】  複数のハンガー棒をハンガー本体の下部に留めたパラソル型ハンガーでは、非使用時にハンガー棒末端部をハンガー本体の上部に掛ける、あるいはハンガー本体の上下を逆にすることによって、ハンガー棒の開閉を行っていた。前者の操作は面倒であり、後者では全てのハンガー棒が同時に開き、洗濯物を干す操作において不用なハンガー棒が邪魔になることが多い。また、スタンドで支えられた物干竿を使用する場合は広いスペースが必要とされる。
【課題を解決するための手段】
【０００４】  本考案のパラソル型洗濯物干し用ハンガーでは、ハンガー棒先端部に鈎と縦長の穴を設け、この穴にハンガー本体の環状のハンガー棒保持軸を通して、非使用時にはハンガー棒をぶら下げる。使用時にはハンガー棒末端を水平状態より少し高く上げ、ハンガー本体の中心方向に押し込んで、鈎をハンガー本体の止め具に掛けて水平状態とする。洗濯物を取り外す時はこの逆の操作を行う。このようにして、従来のパラソル型ハンガーに比べ、より簡単な操作でハンガー棒を個別に垂直および水平方向に変えることができる。また、洗濯物の重量によりハンガー棒の鈎はハンガー本体の止め具より離れ難く、水平状態が安定に保たれる。横一列型洗濯物干し用ハンガーは上述と同様のハンガー棒を有するが、ハンガー棒保持軸は直線状となる。ハンガー本体をベランダフェンスに掛けて使用するため非使用時の占める空間が極めて小さくなる。
【考案の効果】
【０００５】  上述の様に、本考案の洗濯物干用ハンガーでは、複数のハンガー棒が非使用時にはハンガー本体からぶら下がった状態にあり、使用時には個々のハンガー棒が簡単な操作で水平状態に安定に保たれる。また、横一列型ハンガーはベランダフェンスに掛けて使用する事ができる。本考案の洗濯物干用ハンガーは、非使用時に占める空間が小さく、洗濯物を干す時には、非使用のハンガー棒が妨げにならない。洗濯物を取り入れるときは、ハンガー棒をぶら下がった状態に変えると同時に洗濯物を取り外すことができる。
【考案を実施するための最良の形態】
【０００６】  ハンガー棒保持軸は、パラソル型では環状、横一列型では直線状となり、個々のハンガー棒を隔離する隔離板により固定される。また、ハンガー棒先端部の縦長の穴には切れ目を入れて、個々のハンガー棒の取り外しを可能とする。
【実施例】
【０００７】  以下、添付図面に従って実施例を説明する。図１はパラソル型ハンガーの一断面を示す。１は耐久性プラスチックなどの素材のハンガー本体である。１ａは金属製で環状のハンガー棒保持軸で、ハンガー棒を隔離する隔離板を貫通してハンガー本体に固定されている。１ｂはハンガー本体を物干竿などに架ける吊り具である。１ｃはハンガー棒先端の鈎を掛ける止め具である。２は使用時および非使用時の状態のハンガー棒である。２ａはハンガー棒先端部の縦長の穴で、２ｂはハンガー棒を付け外しするための切れ目である。２ｃはハンガー棒先端の鈎である。非使用時の垂直状態のハンガー棒２の末端部を持って、水平状態より少し上まで挙げて、ハンガー本体の中心方向に押し込んで、水平状態で引き戻すことにより、ハンガー棒先端の鈎２ｃがハンガー本体の止め具１ｃに掛かり、ハンガー棒２は水平状態で使用される。洗濯物を取り外すときは、この逆の操作により非使用時の状態とする。図２はパラソル型ハンガー本体の斜視図である。１ｄはハンガー棒２を隔離し、ハンガー棒保持軸１ａを固定する隔離板で、その数はハンガー棒の必要数により決められる。図３は横一列型ハンガーの非使用時の一断面図である。３は横一列型ハンガー本体である。３ａは金属製で直線状のハンガー棒保持軸、３ｂはハンガー本体をベランダフェンスに固定する固定具である。ハンガー棒２は上述のパラソル型ハンガーの場合と同様の操作により水平状態とし、使用される。図４は横一列型ハンガー本体の斜視図である。３ｃはハンガー棒を隔離し、ハンガー棒保持軸を固定する隔離板で、その数はハンガー棒の必要数により決められる。
【図面の簡単な説明】
【０００８】
【図１】本考案のパラソル型ハンガーの一断面図である。
【図２】パラソル型ハンガー本体の斜視図である。
【図３】本考案の横一列型ハンガーの一断面図である。
【図４】横一列型ハンガー本体の斜視図である。
【符号の説明】
【０００９】  １  パラソル型ハンガー本体
２  ハンガー棒
３  横一列型ハンガー本体
【図１】
0003112457.tif 000003
【図２】
0003112457.tif 000004
【図３】
0003112457.tif 000005
【図４】
0003112457.tif 000006
(57)【要約】      （修正有）【課題】冬は冷たさが、夏は暑さが感じにくくなり、壁や天井に使用した場合も大幅に反響を抑えられるので音響効果にも役立つ表面凹凸形状付き木板を提供する。【解決手段】大小の凹凸や突起を施した板を使用する事によって、足裏を点で支える事になり、接地面積が小さく、点で支えた隙間にも室内の空気が入り込む為に、冬は冷たさが夏は暑さが直に感じにくくなる。また滑りやすい欠点も解決できるので、風呂場の床や階段などに使用すれば転倒事故防止にも役立つ。壁や天井に使用した場合も、大幅に反響を抑えられるので音響効果にも役立つ。更に適当な大きさのブロック形状にし、四方の側面や底の部分に雄雌の溝加工を施す事によって組立て式の施工も可能になり、建築材料の残った端材等も再利用出来るので、資源の有効利用にも大きく役立つ。【選択図】図１
0003112452.tif 000002
【実用新案登録請求の範囲】
【請求項１】
木製の板に、彫刻や圧縮などにより大小の突起を施した特徴を有する板。
【考案の詳細な説明】
【技術分野】
【０００１】  本考案は、木製の板に彫刻や圧縮等により、大小の凹凸や突起を施した板に関するものである。
【背景技術】
【０００２】  従来、床材料として利用されていた材料は、表面が平面に仕上げられていた為に足裏と接地面積が大きく、冬は冷たさが夏は暑さが直に感じられた。また足裏との接地面積が大きかったのに、平面形状だったので滑りやすい欠点もあった。
その他に、壁材料や天井材料として利用されている物も、表面が平面に仕上げられていた為、音が反響しやすかった。
【考案の開示】
【考案が解決しようとする課題】
【０００３】  表面が平面に仕上げられた材料は、足裏で冷たさや熱さを直に感じたり、滑りやすいなどの欠点があった。また平面仕上げの材料を、壁や天井などに使用すると音が反響する欠点が有った。従って、板表面に彫刻や圧縮等により大小の凹凸や突起を施す事によって前述の欠点を解決しようとするものである。
【課題を解決するための手段】
【０００４】  本考案は、板表面に彫刻や圧縮等により、大小の凹凸や突起を施す事によって問題を解決している。
【考案の効果】
【０００５】  上述の様に、本考案の大小の凹凸や突起を施した板を使用する事によって、足裏を点で支える事になり、接地面積が小さく、点で支えた隙間にも室内の空気が入り込む為に、冬は冷たさが、夏は暑さが直に感じにくくなる。また滑りやすい欠点も解決できるので、風呂場の床や階段などに使用すれば転倒事故も軽減出来る。壁や天井に使用した場合も大幅に反響を抑えられるので、音響効果にも役立つ。更に適当な大きさのブロック形状にし、四方の側面や底の部分に雄雌の溝加工を施す事によって組立て式の施工も可能になり、建築材料の残った端材等も再利用出来るようになるので、資源の有効利用にも大きく役立つ。
【考案を実施するための最良の形態】
【０００６】  本考案の加工板を、玄関の上がり框や床、廊下、風呂場の床や階段などに使用すれば、熱さ冷たさの軽減だけでなく滑り止め効果も大きい。壁や天井に使用すれば、室内で音楽を聴く時やカラオケ等で楽しむ時も余分な反響が少なくなる。
【実施例】
【０００７】  以下、添付図面に従って実施例を説明する。１は適宜木製素材、２は表面を彫刻により削られた表面。この形状の板を釘や糊などを使用して施工する。また適当な大きさのブロック形状にし、四方の側面や底の部分に雄雌の溝加工することによって組立て式の施工も可能になる。
【図面の簡単な説明】
【０００８】
【図１】  本考案の実施例を示す立体透視図である。
【図２】  本体構造の平面図である。
【図３】  本体構造の断面図である。
【符号の説明】
【０００９】  １  彫刻により削られた凹凸面。
２  木製素材。
【図１】
0003112452.tif 000003
【図２】
0003112452.tif 000004
【図３】
0003112452.tif 000005
(57)【要約】【課題】描いた絵が薄れにくい結露利用書込み具を提供する。【解決手段】容器２が、平板状であって、内部に水を封入可能になっている。容器２は、正面１１とその周囲の縁部１２ａ，１２ｂ，１２ｃ，１２ｄとを有している。容器２は、縁部１２ａに注水口１４を、縁部１２ｃに排水口１６とを有している。書込み用金属板３が、ステンレス板から成り、容器２の正面１１に貼り付けられている。使用するときには、注水口１４から容器２の内部に水を入れる。浴室内では、容器２の内部の水により書込み用金属板３の表面温度が室温より低くなるため、書込み用金属板３の表面３ａ付近の空気の温度が下がり、書込み用金属板３の表面３ａに結露する。結露した書込み用金属板３の表面３ａには、結露を指で擦り取ることにより、文字や絵などを自由に書き込むことができる。【選択図】図１
0003112428.tif 000002
【実用新案登録請求の範囲】
【請求項１】
平板状であって正面と前記正面の周囲の縁部とを有し、前記縁部に注水口を有する容器と、
前記正面に貼り付けられた書込み用金属板とを、
有することを特徴とする結露利用書込み具。
【考案の詳細な説明】
【技術分野】
【０００１】
本考案は、入浴時に使用される結露利用書込み具に関する。
【背景技術】
【０００２】
従来、入浴時に使用される書込み具として、変色温度を入浴温度に一致させた可逆性の感温発色剤を含有する染料又はインクを利用し、シートの一方の表面全面を着色して成る風呂用お絵書き盤がある（例えば、特許文献１参照）。
【０００３】
【特許文献１】実開平５−７２９７
【考案の開示】
【考案が解決しようとする課題】
【０００４】
しかしながら、特許文献１記載の風呂用お絵書き盤では、お風呂のお湯の温度を利用して文字や絵を描くようになっているため、絵を描いていくうちに描き始めの箇所の色が冷えて薄れてしまうという課題があった。
【０００５】
本考案は、このような従来の課題に着目してなされたもので、描いた絵が薄れにくい結露利用書込み具を提供することを目的とする。
【課題を解決するための手段】
【０００６】
上記目的を達成するために、本考案に係る結露利用書込み具は、平板状であって正面と前記正面の周囲の縁部とを有し、前記縁部に注水口を有する容器と、前記正面に貼り付けられた書込み用金属板とを、有することを特徴とする。
【０００７】
本考案に係る結露利用書込み具は、注水口から容器の内部に水を入れて使用される。浴室内では、容器の内部の水により書込み用金属板の表面温度が室温より低くなるため、書込み用金属板の表面付近の空気の温度が下がり、書込み用金属板の表面に結露する。特に、浴室内は湿度が高いため、結露しやすい。結露した書込み用金属板の表面には、結露を指で擦り取ることにより、文字や絵などを自由に書き込むことができる。
【０００８】
書き込んだ文字や絵を消すときには、お湯や水をかけるか、お湯の中に全体を沈めれば、容易に消すことができる。その後、容器の内部の水温が室温に近づくまで、書込み用金属板の表面に再び結露するため、再度、文字などを書き込むことができる。こうして、何度でも文字や絵を書き込んだり消したりすることができる。本考案に係る結露利用書込み具は、お風呂のお湯の温度を利用して文字や絵を描くものではなく、結露を利用して描くもののため、描いた絵が薄れにくい。また、子供に結露の原理を理解させるための知育学習玩具として利用できる。
【考案の効果】
【０００９】
本考案によれば、描いた絵が薄れにくい結露利用書込み具を提供することができる。
【考案を実施するための最良の形態】
【００１０】
以下、図面に基づき本考案の実施の形態について説明する。
図１は、本考案の実施の形態の結露利用書込み具を示している。
図１に示すように、結露利用書込み具１は、容器２と書込み用金属板３とを有している。
【００１１】
容器２は、全体が矩形状に近い平板状で、空洞の内部に水を封入可能になっている。容器２は、正面１１と、４つの縁部１２ａ，１２ｂ，１２ｃ，１２ｄとを有している。４つの縁部１２ａ，１２ｂ，１２ｃ，１２ｄは、縁部１２ａを上面としたとき、縁部１２ｂが正面１１の向かって左側、縁部１２ｃが正面１１の向かって右側、縁部１２ｄが底面となる。正面１１は、周囲より矩形状に凹んだ平坦な嵌合部１１ａを有している。容器２は、縁部１２ｂの下部に、持ちやすくするための突出部１３を有している。容器２は、縁部１２ｄを下にして立てることができる。
【００１２】
容器２は、縁部１２ａの端部に注水口１４を有している。注水口１４には、セルロイド製の第１キャップ１５が着脱可能に取り付けられ、注水口１４を密閉可能となっている。容器２は、縁部１２ｃの下部に排水口１６を有している。排水口１６には、セルロイド製の第２キャップ１７が着脱可能に取り付けられ、排水口１６を密閉可能となっている。
【００１３】
書込み用金属板３は、嵌合部１１ａの長さ、巾および深さと同じ寸法の平坦な矩形状のステンレス板から成る。書込み用金属板３は、嵌合部１１ａに密着して貼り付けられている。書込み用金属板３の表面は、鏡面加工により鏡としても利用可能である。
【００１４】
次に、作用について説明する。
結露利用書込み具１は、注水口１４から容器２の内部に冷たい水道水を入れて使用する。浴室内では、容器２の内部の冷水により書込み用金属板３の表面温度が室温より低くなるため、書込み用金属板３の表面３ａ付近の空気の温度が下がり、書込み用金属板３の表面３ａに結露する。特に、浴室内は湿度が高いため、結露しやすい。結露した書込み用金属板３の表面３ａには、結露を指で擦り取ることにより、文字や絵などを自由に書き込むことができる。
【００１５】
書き込んだ文字や絵を消すときには、お湯や水をかけるか、お湯の中に全体を沈めれば、容易に消すことができる。その後、容器２の内部の水温が室温に近づくまで、書込み用金属板３の表面３ａに再び結露するため、再度、文字などを書き込むことができる。こうして、何度でも文字や絵を書き込んだり消したりすることができる。結露利用書込み具１は、お風呂のお湯の温度を利用して文字や絵を描くものではなく、結露を利用して描くもののため、描いた絵が薄れにくい。
【００１６】
容器２の内部の水温が室温に近づき、書込み用金属板３の表面３ａに結露しにくくなったときには、排水口１６から容器２の内部の水を排出して、注水口１４から新しく水道水を入れるとよい。これにより、書込み用金属板３の表面３ａに再び結露するため、再度、文字などを書き込むことができる。このように、結露利用書込み具１は、容器２の内部の水を入れ換えることにより、何度でも繰り返し使用することができる。
【図面の簡単な説明】
【００１７】
【図１】本考案の実施の形態の結露利用書込み具を示す（ａ）正面図、（ｂ）右側面図である。
【符号の説明】
【００１８】
１    結露利用書込み具
２    容器
３    書込み用金属板
１１  正面
１２ａ，１２ｂ，１２ｃ，１２ｄ  縁部
１３  突出部
１４  注水口
１５  第１キャップ
１６  排水口
１７  第２キャップ
【図１】
0003112428.tif 000003
(57)【要約】      （修正有）【課題】間伐材の有効利用という観点と、無機質な金属製の防雪柵にとって代わる物としての高性能な防雪柵が欲しいという課題があった。【解決手段】間伐材を防雪柵の防雪板として使用する。直径１０〜２０ｃｍの丸太を半割にした半割丸太１を、切断面が風上に向かうように水平に、少しづつ間隔を取りながら縦の支柱に固定していく。開口率１０％以下とする。上部に忍び返しを付け、更にその上に誘導部を設ける、「忍び返し誘導部付き吹き止め式防雪柵」とする。忍び返し部３に取り付ける半割丸太は、丸太ごとの間隔を取りながら切断面が斜め上方を向くようにし、誘導部４には半割丸太を切断面が支柱に添うように取り付け、開口率が１０〜３０％になるようにする。【選択図】図１
0003112430.tif 000002
【実用新案登録請求の範囲】
【請求項１】
丸い木材を半割にした半割丸太を防雪板として水平に、縦の支柱に取り付けた事を特徴とする木製防雪柵。
【請求項２】
木材として唐松等の間伐材を使用する事、を特徴とした請求項１記載の木製防雪柵。
【請求項３】
上部に忍び返し部又は誘導部を備え、あるいは忍び返し部と誘導部の両方を備えた事を特徴とした請求項１、２記載の木製防雪柵。
【請求項４】
忍び返し部に取り付ける半割丸太は、丸太ごとの間隔を取りながら切断面が斜め上方を向いており、誘導部に取り付ける半割丸太は切断面を支柱に添うようにするが開口率が１０〜３０％になるようにしてある事を特徴とした請求項３記載の木製防雪柵。
【請求項５】
４〜１０本の半割丸太を鉄製のフレームに固定したものを１ユニットとし、ユニット単位で折り畳んだり、重ねたりできる事を特徴とした請求項１乃至４記載の木製防雪柵。
【請求項６】
半割丸太の曲面部が風下側つまり道路側を向いている事を特徴とした請求項１乃至５記載の木製防雪柵。
【考案の詳細な説明】
【考案の詳細な説明】
【技術分野】
【０００１】  積雪地帯における冬期間の交通安全確保のために設置する防雪柵に関する。
【背景技術】
【０００２】  従来使用されてきたほとんどの防雪柵は金属製であり、各種タイプの高性能のものが考案・発明されてきた。また木製の物もわずかに存在したが単純な垣根のようなものであり、高性能の物は無かった。【０００３】  また北海道などの森林地帯において、植林後何年か経過した後、木材を間引きしていくが、その折の間伐材の有効な利用方法が少なかった。
【考案が解決しようとする課題】
【０００４】  間伐材の有効利用という観点と、無機質な金属製の防雪柵にとって代わる物としての高性能な防雪柵が欲しいという課題があった。
【課題を解決するための手段】
【０００５】  本考案は上記課題に鑑みてなされたものであり、間伐材を有効に利用するに当たり、間伐材を防雪柵の防雪板として使用する。材料としては長さ３〜４ｍ、直径が１０〜２０ｃｍの丸太を半割にした物が使えるので、切断面が風上に向かうように水平に、少しづつ間隔を取りながら縦の支柱に固定していく。開口率１０％以下とする。
【０００６】  防雪柵のタイプも色々あるが高性能の物を提供するとして、上部に忍び返し部を付け、更にその上に誘導部を設ける、木製の「忍び返し誘導部付き吹き止め式防雪柵」を考案した。半割丸太の断面形状が半円であることからくる流体性能を生かすものとして、忍び返し部に取り付ける半割丸太は、丸太ごとの間隔を取りながら切断面が斜め上方を向いており、誘導部に取り付ける半割丸太は切断面を支柱に添うようにするが開口率が１０〜３０％になるようにする。
【作用】
【０００７】  上記考案によれば、半割丸太の隙間を通過した風雪は、丸太の形状から乱流になりにくいので、防雪柵の陰つまり道路側に吹き溜まりができにくく性能の良い防雪柵になる。また丸太の表面が道路側を向くので、金属製の防雪柵よりは違和感の少ない防雪柵になる。
【実施例】
【０００８】  本考案の半割丸太１を使用した木製防雪柵の１例、忍び返し部と誘導部の両方を備えた防雪柵を図面に基づいて説明すると、図１は防雪柵の１スパンを示す斜視図で、図２はその側面図である。幅は３〜４ｍ、高さは３〜５ｍ程あり、下から３つの部分で構成されている。１番下が垂直部２、次が忍び返し部３、１番上が誘導部４である。風は左後方から吹いてくる。【０００９】  垂直部２の半割丸太間の隙間は開口率１０％以下にしてあり、忍び返し部３に取り付ける半割丸太は、丸太ごとの間隔を取りながら切断面は斜め上方の１定角を向けてあり、誘導部４に取り付ける半割丸太は切断面を支柱に添うようにするが、約３０％の開口率にしてある。【００１０】  半割丸太１の支柱への固定の仕方は図３に示すように、木の延び縮みを多少考慮して少し大きめの孔が、半割丸太の端部から少し内側に入った所に穿けてあり、丸太の曲率より少し小さめの曲率の押え金具５を当ててボルト・ナットで支柱に固定してある。【００１１】  図４には上方に忍び返し部３のみを設けた別の実施例２の側面図が示してある。半割丸太の取り付け方、等については、実施例１と同様である。【００１２】  図５には上方に誘導部４のみを設けた別の実施例３の側面図が示してある。半割丸太の取り付け方、等については、実施例１と同様である。
【考案の効果】
【００１３】  以上説明したように、本考案の木製防雪柵によれば間伐材の捨てる部分を少なく、有効に利用でき、見た目にも心地良い木肌の雰囲気をだせる。
【００１２】  半割丸太の断面形状を利用して乱流の起こりにくい、つまり吹き溜まりのできにくい防雪柵を提供できる。
【００１３】  本考案の忍び返し部と誘導部の両方を備えた木製防雪柵によれば、防雪柵の風上側、つまり道路の反対側に雪が吹き溜まって高くなり、吹き止め柵としての機能が低下した場合は誘導部の上を風雪が飛び越えて道路の反対側にまで吹き飛ばされるようになる。
【図面の簡単な説明】
【図１】忍び返し部と誘導部の両方を備えた木製防雪柵の斜視図。
【図２】忍び返し部と誘導部の両方を備えた木製防雪柵の側面図。
【図３】半割丸太の固定の仕方を示す部分図。
【図４】忍び返し部を備えた木製防雪柵の側面図。
【図５】誘導部を備えた木製防雪柵の側面図。
【符号の説明】
１  半割丸太
２  垂直部
３  忍び返し部
４  誘導部
５  押え金具
【図１】
0003112430.tif 000003
【図２】
0003112430.tif 000004
【図３】
0003112430.tif 000005
【図４】
0003112430.tif 000006
【図５】
0003112430.tif 000007
(57)【要約】【課題】  保存エネルギーが飽和状態になりにくく、入力電流の変化や強電の干渉に耐えることができ、耐久性の高いコイル型インダクタを提供すること。【解決手段】  コア材１０の外周に導線を巻き付けてコイルを形成して成り、コア材１０は両端間が離間したＣ字型であり、その両端間の開口部１１１に永久磁石１２を設置してある。コイルの外面を絶縁材料で被覆することがある。コア材１０は、鉄、珪素、ホウ素、ニオブ、銅を混合した、通電状態で磁性を持つ素材より成る複数の薄いベース片１１を積層して形成しても良い。【選択図】          図２
0003112489.tif 000002
【実用新案登録請求の範囲】
【請求項１】
コア材の外周に導線を巻き付けてコイルを形成したコイル形インダクタンスにおいて、
前記コア材は両端間が離間したＣ字型であり、その両端間の開口部に永久磁石を設置したコイル型インダクタ。
【請求項２】
前記コイルの外面を絶縁材料で被覆した請求項１に記載のコイル型インダクタ。
【請求項３】
前記コア材が、鉄、珪素、ホウ素、ニオブ、銅を混合し、通電状態で磁性を持つ素材より成る請求項１又は２に記載のコイル型インダクタ。
【請求項４】
前記コア材が、複数の薄いベース片を積層して成る請求項１〜３のいずれかに記載のコイル型インダクタ。
【考案の詳細な説明】
【技術分野】
【０００１】
本考案は、コイル型インダクタに関する。
【背景技術】
【０００２】
パーソナルコンピュータ本体やサーバのような電気装置に搭載される電源供給器等では、インダクタ類によって交流電流の入力時間と波形を制御・調整して、直流電流の電圧波形となるべく一致させ、電気装置の電力使用効率を向上させることが多い。これを力率改善（Ｐｏｗｅｒ  ｆａｃｔｏｒ  ｃｏｒｒｅｃｔｉｏｎ：ＰＦＣ）という。
単にコイルとも称されるコイル型インダクタンスは、コア材の外周に導線をコイル状に巻き付けて成り、電源供給器、モニタ、交換器、マザーボード、スキャナ、電話機、モデム等に幅広く用いられている。
【０００３】
電気と磁気とは相互に変換可能であり、電流が流れた導線の周囲には磁場が発生し、反対に、磁束を横切るコイルには電流が流れる。従って、コア材の周囲に導線を巻き付けたインダクタにおいて、コイルに電流が流れるとコイル内に磁場が発生し、電流が小さくな
ると、コイル内の磁力が電流の変化を阻止しようとするので、回路に流れる電流を安定さ
せ、電磁波の干渉を防ぐと共に、磁場の形で電気エネルギーを保存したり解放することができる。
ところで、インダクタはコア材に規定線径の導線を規定の巻き数だけ巻き付けてあり、
その保存可能な電磁力は予め定めた範囲内とすることができるが、実際の使用時には、入力電流の変化や強電の干渉によって瞬間的に飽和状態となり、電流を安定させるという機能を発揮できなくなるだけでなく、電気装置に搭載された他部品の破損を引き起こすこと
もある。
【考案の開示】
【考案が解決しようとする課題】
【０００４】
本考案が解決しようとする課題は、保存エネルギーが飽和状態になりにくく、入力電流の変化や強電の干渉に耐えることができ、耐久性の高いコイル型インダクタを提供することにある。
【課題を解決するための手段】
【０００５】
本考案のコイル型インダクタは、コア材の外周に導線を巻き付けてコイルを形成して成り、前記コア材は両端間が離間したＣ字型であり、その両端間の開口部に永久磁石を設置してある。
以下の構成を採用しても良い。
前記コイルの外面を絶縁材料で被覆した構成。
前記コア材が、鉄、珪素、ホウ素、ニオブ、銅を混合し、通電状態で磁性を持つ素材より成る構成。
前記コア材が、複数の薄いベース片を積層して成る構成。
【考案の効果】
【０００６】
本考案によれば、コア材の両端間に設置された永久磁石によって、電磁力を保存し、コイルに通電した時発生する磁場を延長することができるので、保存された電磁エネルギーを非飽和状態に維持することが可能で、入力電流の急激な変化や、強電の干渉に対応でき、この結果、回路に流れる電流を安定させる効果が高く、周波数特性に優れ、耐久性も高まる。
また、性能に比して軽量で嵩張らず、価格も低廉なので、様々な電気装置に幅広く用いることができる。
【考案を実施するための最良の形態】
【０００７】
以下、本考案の実施例を図面に基づいて詳細に説明する。
本考案のコイル型インダクタは、図１に示すように、コア材１０の外周に導線２０を巻き付けてコイルを形成し、コイルの外面を絶縁材料３０で被覆して成る。
導線２０は、保存しようとする電磁エネルギーに応じて、規定線径のものを規定巻き数だけ巻き付けてある。
【０００８】
コア材１０は、鉄、珪素、ホウ素、ニオブ、銅を混合した、通電状態で磁性を持つ素材より成り、図２に示すように、両端間が離間したＣ字型に形成され、その両端間の開口部１１１には永久磁石１２が設置されている。
また、コア材１０は、それぞれ周方向に沿う複数の薄いベース片１１を積層して形成される。
鉄、珪素、ホウ素、ニオブ、銅を混合した素材は価格が低廉で、コストを低く抑えることができる。
【０００９】
導線２０に通電すると、コイルに発生する磁場が永久磁石１２によって延長され、インダクタの電磁エネルギー保存能力が高まって、保存エネルギーを非飽和状態に保つことができる。
これにより、入力電流の急激な変化や強電の干渉によって損傷を受けることなく、インダクタの機能が維持され、耐用年数が向上する。
【図面の簡単な説明】
【００１０】
【図１】本考案の実施例を示すコイル型インダクタの斜視図。
【図２】本考案の実施例に係るコア材の斜視図。
【符号の説明】
【００１１】
１０  コア材
１１  ベース片
１１１  開口部
１２  永久磁石
２０  導線
３０  絶縁材料
【図１】
0003112489.tif 000003
【図２】
0003112489.tif 000004
(57)【要約】【目的】  装着と取り外しに時間を要せず、装着中の特に夏季に涼しく着用し得る通風部のある、ネクタイ風の装身具を得る。【構成】  首に掛け回す筒状、稍軟質の首回り筒１に、ゴム使用部を取付け首回り筒１の前部に、ネクタイの結び目風の上前垂下部、上後垂下部、膨らみ部、通風部を設ける。【選択図】図１
0003112466.tif 000002
【実用新案登録請求の範囲】
【請求項１】
首回り筒（１）の前部の曲げ下げ突出部（３）の前面にかぶせる上前垂下布（１０）の上部を後面へ曲げ下げた上後垂下布（１１）の中央上部を前面に突き出した凹みを通風部（２７）とし、前回り筒（１）の中間の前端（２１）と後端（２２）を繋ぐゴム部（２）を、Ｙシャツ上襟外側の数個の小釦（２３）に掛け渡す、首回り装身具。
【請求項２】
左右上襟（６，７）の外側面に、ゴム部（２）を掛け止める小釦（２３）と、通気用の数個の横長穴（２８）を設けたＹシャツ。
【考案の詳細な説明】
【産業上の利用分野】
【０００１】  ネクタイとＹシャツ
【背景技術】
【０００２】  通勤、外勤するビジネスマン等の着用するネクタイ、Ｙシャツは特に夏季、暑苦しく、又着脱に時間もかかり簡便でなかった。
【考案が解決しようとする課題】
【０００３】  素早く着脱し、ネクタイに代り易い物を得る。
【０００４】  風通しよく、熱が放散し易くする。
【課題を解決するための手段】
【０００５】  首に掛け回す部を円形、楕円形等の筒状の首回り筒１とし、前部の筒部の中には丸紐を包み、左右中間部にはゴム部２を設ける。
【０００６】  首回り筒１の前部を曲げ下げ曲げ下げ突出し部３とする
【０００７】  首回り筒１の前中央部に被せる上前垂下布１０を上面から後面へ垂下する上後垂下布１１の前面に突き出す凹み部を通風部２７とする。
【０００８】  上前垂下布１０、上後垂下布１１両布の下部の横幅を短く締めくくる束ね締め部２０の横ずれ止め輪２６を第２釦１６に掛け止める。
【０００９】  上前垂下布１０と上後垂下布１１の間には、前膨らみ部１３を挟み入れる。
【作用】
【００１０】  ０００５で首回りが筒状であると、０００６で曲げ下げ突き出し部３が曲げ限界点以上に屈折した時の形状を維持し易い。
【００１１】  ０００５でゴム部２は首回りの太さに合わせて伸縮し得る。
【００１２】  ０００６の前下の曲げ下げ突出し部３により、０００９の前膨らみ部１３の形を作り、ネクタイの結び目に似た感じを現わし易い。
【００１３】  ０００７で、上前垂下部１０の上面を後面に垂下する時の上面は、首回り筒１に丸みがあるので前膨らみ部１３をネクタイの感じにし易い。
【００１４】  ０００８の束ね締め部２０の下方には下前布１２を、上前垂下布１０に連結設け、ネクタイの感じに似せる。
【実施例】
【００１５】  ０００５のゴム部２は、図１で強い平板紐状、丸ゴム等の前端２１に取付けた掛け止め輪４を、Ｙシャツ上襟６の側面の掛け止め釦５に掛け外しし、後端２２の鉤等を首回り筒のリング３０に掛け止める。ゴム部が伸びゆるみ又は長過ぎる時は上襟６側面の掛止め小釦２３等に掛け止めて長さを伸ばしてゴムの力を強くする。このゴム部２は取り除いて随時交換する。【００１６】  前膨らみ部１３の内部には、前面が曲げ下げ突出し部３の前面により前面に出来るふくらみを持つ上前垂下布１０と、上後垂下布１１のほぼ平面部との間の形に合う綿、布くず等を入れ、又はそれを入れた縫いぐるみ部を入れる。前ふくらみ部１３の側面は上前垂下部１０と上後垂下部縫付１４とする。【００１７】  ０００４の風通しよくするためには、Ｙシャツの上襟６，７に数個の横長穴３３を設けて、その周囲をかがり縫いしておく【００１８】  上後垂下布１０の下部を連結延長する下後布２９を設ける場合もある。尚下前布１０、下後布２９を設けない場合もある。
【考案の効果】
【００１９】  短時間に脱着し易く、通風部２７と横長穴３３により涼しく着用し得る。
【図面の簡単な説明】
【００２０】  Ｙシャツ上襟の折返し部６’，７’，前ふくらみ部１３，上前垂下布１０、下前布１２等の下面、内面になる部を点線で示す。【図１】斜視図（稍上右上方から）
【符号の説明】
１・・・・・・・首回り筒
２・・・・・・・ゴム部
３・・・・・・・曲げ下げ突き出し部
４・・・・・・・（２の）掛け止め輪
５・・・・・・・（Ｙシャツの）掛け止め釦
６，７・・・・・（Ｙシャツの）左上襟、右上襟
６’，７’・・・（６，７の）折返し部
８，９・・・・・左前襟、右前襟
１０，１１・・・上前垂下布、上後垂下布
１２・・・・・・下前布、
１３・・・・・・前膨らみ部
１４・・・・・・（１３の）側面縫いつけ部
１５，１６，１７・・・第１釦、第２釦、第３釦
１８・・・・・・Ｙシャツ（肩部）
２０・・・・・・束ね締め部
２１，２２・・・（２の）前端、後端
２３・・・・・・（Ｙシャツの）小釦（２の掛け止め）
２６・・・・・・横ずれ止め輪
２７・・・・・・通風部
２８・・・・・・（Ｙシャツの）横長穴
２９・・・・・・下後布
３０・・・・・・（１１の筒端の）リング
【図１】
0003112466.tif 000003
【手続補正書】
【提出日】平成17年4月22日(2005.4.22)
【手続補正１】
【補正対象書類名】実用新案登録請求の範囲
【補正対象項目名】請求項１
【補正方法】変更
【補正の内容】
［請求項１］  首回り筒（１）の前部の曲げ下げ突出部（３）の前面にかぶせる上前垂下布（１０）の上部を後面へ曲げ下げた上後垂下布（１１）の中央上部を前面に突き出した凹みを通風部（２７）とし、首回り筒（１）の中間の前端（２１）と後端（２２）を繋ぐゴム部（２）を、Ｙシャツ上襟外側の数個の小釦（２３）に掛け渡し、上前垂下布（１０）に下前布（１２）を連結設けた、首回り装身具。
【手続補正２】
【補正対象書類名】明細書
【補正対象項目名】００１８
【補正方法】変更
【補正の内容】
［００１８］  上後垂下布１０の下部を連結延長する下後布２９を設ける場合もある。
【手続補正３】
【補正対象書類名】明細書
【補正対象項目名】００１０
【補正方法】変更
【補正の内容】
［００１０］  ０００５で、首に掛け回す首回り筒１が筒状であると、０００６で曲げ下げ突き出し部３が曲げ限界点以上に屈折した時の形状を維持し易く、前部の筒部の中に丸紐を包んであると、筒部が稍軟質（合成樹脂等）すぎても、曲げ下げ突き出し部３がつぶれ難いので前面への膨らみ形状を維持し易い。